【手続補正書】
【提出日】平成25年11月13日(2013.11.13)
【手続補正１】
【補正対象書類名】特許請求の範囲
【補正対象項目名】全文
【補正方法】変更
【補正の内容】
【特許請求の範囲】
【請求項１】
符号化処理する画像を対象として、符号化処理の対象となる対象ブロックの画素に対してイントラ予測を行う際の予測方向に応じて、前記対象ブロックの画素に対してイントラ予測を行う際に参照する隣接画素にフィルタ処理を行うか、前記隣接画素にフィルタ処理を行わないかを選択するフィルタ部と、
前記隣接画素を用いて、前記対象ブロックの画素に対してイントラ予測を行うイントラ予測部と
を備える画像処理装置。
【請求項２】
前記フィルタ部は、イントラ予測モードを識別する番号を用いて、前記対象ブロックの画素に対してイントラ予測を行う際に参照する隣接画素にフィルタ処理を行うか、前記隣接画素にフィルタ処理を行わないかを選択する
請求項１に記載の画像処理装置。
【請求項３】
前記フィルタ部は、前記隣接画素にフィルタ処理を行うか、前記隣接画素にフィルタ処理を行わないかを選択するかを制御する制御情報を用いて、前記隣接画素にフィルタ処理を行うか、前記隣接画素にフィルタ処理を行わないかを選択する
請求項２に記載の画像処理装置。
【請求項４】
前記フィルタ部は、前記隣接画素にフィルタ処理を行うことを選択した場合に、３タップのフィルタ係数を用いたフィルタ演算を用いて、前記隣接画素にフィルタ処理を行う
請求項３に記載の画像処理装置。
【請求項５】
前記イントラ予測部により生成された予測画像を用いて、前記画像を符号化処理する符号化部を
さらに備える請求項１に記載の画像処理装置。
【請求項６】
前記符号化部は、前記画像を、階層構造を有する単位で符号化処理する
請求項５に記載の画像処理装置。
【請求項７】
前記イントラ予測部は、ブロックサイズを４×４画素、８×８画素、１６×１６画素、３２×３２画素として、イントラ予測を行う
請求項６に記載の画像処理装置。
【請求項８】
画像処理装置が、
符号化処理する画像を対象として、符号化処理の対象となる対象ブロックの画素に対してイントラ予測を行う際の予測方向に応じて、前記対象ブロックの画素に対してイントラ予測を行う際に参照する隣接画素にフィルタ処理を行うか、前記隣接画素にフィルタ処理を行わないかを選択し、
前記隣接画素を用いて、前記対象ブロックの画素に対してイントラ予測を行う
画像処理方法。
【請求項９】
イントラ予測モードを識別する番号を用いて、前記対象ブロックの画素に対してイントラ予測を行う際に参照する隣接画素にフィルタ処理を行うか、前記隣接画素にフィルタ処理を行わないかを選択する
請求項８に記載の画像処理方法。
【請求項１０】
前記隣接画素にフィルタ処理を行うか、前記隣接画素にフィルタ処理を行わないかを選択するかを制御する制御情報を用いて、前記隣接画素にフィルタ処理を行うか、前記隣接画素にフィルタ処理を行わないかを選択する
請求項９に記載の画像処理方法。
【請求項１１】
前記隣接画素にフィルタ処理を行うことを選択した場合に、３タップのフィルタ係数を用いたフィルタ演算を用いて、前記隣接画素にフィルタ処理を行う
請求項１０に記載の画像処理方法。
【請求項１２】
前記イントラ予測部により生成された予測画像を用いて、前記画像を符号化処理する符号化部を
さらに備える請求項８に記載の画像処理方法。
【請求項１３】
前記画像を、階層構造を有する単位で符号化処理する
請求項１２に記載の画像処理方法。
【請求項１４】
ブロックサイズを４×４画素、８×８画素、１６×１６画素、３２×３２画素として、イントラ予測を行う
請求項１３に記載の画像処理方法。
【請求項１５】
符号化処理する画像を対象として、符号化処理の対象となる対象ブロックの画素に対してイントラ予測を行う際の予測方向に応じて、前記対象ブロックの画素に対してイントラ予測を行う際に参照する隣接画素にフィルタ処理を行うか、前記隣接画素にフィルタ処理を行わないかを選択するフィルタ部と、
前記隣接画素を用いて、前記対象ブロックの画素に対してイントラ予測を行うイントラ予測部と
して、コンピュータを機能させるプログラム。
【請求項１６】
請求項１５に記載のプログラムが記録されている記録媒体。
【請求項１７】
請求項１に記載の画像処理装置により符号化処理されたビットストリームを記録した記録媒体。
【手続補正２】
【補正対象書類名】明細書
【補正対象項目名】発明の名称
【補正方法】変更
【補正の内容】
【発明の名称】画像処理装置および方法、プログラム、並びに記録媒体
【手続補正３】
【補正対象書類名】明細書
【補正対象項目名】０００１
【補正方法】変更
【補正の内容】
【０００１】
本発明は画像処理装置および方法、プログラム、並びに記録媒体に関し、特に、画像やビットレートに応じたノイズ除去を実現し、予測効率を改善することができるようにした画像処理装置および方法、プログラム、並びに記録媒体に関する。
【手続補正４】
【補正対象書類名】明細書
【補正対象項目名】００２４
【補正方法】変更
【補正の内容】
【００２４】
本発明の第１の側面の画像処理装置は、符号化処理する画像を対象として、符号化処理の対象となる対象ブロックの画素に対してイントラ予測を行う際の予測方向に応じて、前記対象ブロックの画素に対してイントラ予測を行う際に参照する隣接画素にフィルタ処理を行うか、前記隣接画素にフィルタ処理を行わないかを選択するフィルタ部と、前記隣接画素を用いて、前記対象ブロックの画素に対してイントラ予測を行うイントラ予測部とを備える。
【手続補正５】
【補正対象書類名】明細書
【補正対象項目名】００２５
【補正方法】変更
【補正の内容】
【００２５】
前記フィルタ部は、イントラ予測モードを識別する番号を用いて、前記対象ブロックの画素に対してイントラ予測を行う際に参照する隣接画素にフィルタ処理を行うか、前記隣接画素にフィルタ処理を行わないかを選択することができる。
【手続補正６】
【補正対象書類名】明細書
【補正対象項目名】００２６
【補正方法】変更
【補正の内容】
【００２６】
前記フィルタ部は、前記隣接画素にフィルタ処理を行うか、前記隣接画素にフィルタ処理を行わないかを選択するかを制御する制御情報を用いて、前記隣接画素にフィルタ処理を行うか、前記隣接画素にフィルタ処理を行わないかを選択することができる。
【手続補正７】
【補正対象書類名】明細書
【補正対象項目名】００２７
【補正方法】変更
【補正の内容】
【００２７】
前記フィルタ部は、前記隣接画素にフィルタ処理を行うことを選択した場合に、３タップのフィルタ係数を用いたフィルタ演算を用いて、前記隣接画素にフィルタ処理を行うことができる。
【手続補正８】
【補正対象書類名】明細書
【補正対象項目名】００２８
【補正方法】変更
【補正の内容】
【００２８】
前記イントラ予測部により生成された予測画像を用いて、前記画像を符号化処理する符号化部をさらに備えることができる。
【手続補正９】
【補正対象書類名】明細書
【補正対象項目名】００３１
【補正方法】変更
【補正の内容】
【００３１】
本発明の第１の側面の画像処理方法は、画像処理装置が、符号化処理する画像を対象として、符号化処理の対象となる対象ブロックの画素に対してイントラ予測を行う際の予測方向に応じて、前記対象ブロックの画素に対してイントラ予測を行う際に参照する隣接画素にフィルタ処理を行うか、前記隣接画素にフィルタ処理を行わないかを選択し、前記隣接画素を用いて、前記対象ブロックの画素に対してイントラ予測を行う。
【手続補正１０】
【補正対象書類名】明細書
【補正対象項目名】００３２
【補正方法】変更
【補正の内容】
【００３２】
イントラ予測モードを識別する番号を用いて、前記対象ブロックの画素に対してイントラ予測を行う際に参照する隣接画素にフィルタ処理を行うか、前記隣接画素にフィルタ処理を行わないかを選択することができる。
前記隣接画素にフィルタ処理を行うか、前記隣接画素にフィルタ処理を行わないかを選択するかを制御する制御情報を用いて、前記隣接画素にフィルタ処理を行うか、前記隣接画素にフィルタ処理を行わないかを選択することができる。
前記隣接画素にフィルタ処理を行うことを選択した場合に、３タップのフィルタ係数を用いたフィルタ演算を用いて、前記隣接画素にフィルタ処理を行うことができる。
【手続補正１１】
【補正対象書類名】明細書
【補正対象項目名】００３３
【補正方法】変更
【補正の内容】
【００３３】
前記イントラ予測部により生成された予測画像を用いて、前記画像を符号化処理する符号化部をさらに備えることができる。
前記画像を、階層構造を有する単位で符号化処理することができる。
ブロックサイズを４×４画素、８×８画素、１６×１６画素、３２×３２画素として、イントラ予測を行うことができる。
【手続補正１２】
【補正対象書類名】明細書
【補正対象項目名】００３４
【補正方法】変更
【補正の内容】
【００３４】
本発明の第１の側面のプログラムおよび記録媒体に記録されているプログラムは、符号化処理する画像を対象として、符号化処理の対象となる対象ブロックの画素に対してイントラ予測を行う際の予測方向に応じて、前記対象ブロックの画素に対してイントラ予測を行う際に参照する隣接画素にフィルタ処理を行うか、前記隣接画素にフィルタ処理を行わないかを選択するフィルタ部と、前記隣接画素を用いて、前記対象ブロックの画素に対してイントラ予測を行うイントラ予測部として、コンピュータを機能させる。
本発明の第１の側面の記録媒体は、請求項１に記載の画像処理装置により符号化処理されたビットストリームを記録した記録媒体である。
【手続補正１３】
【補正対象書類名】明細書
【補正対象項目名】００４４
【補正方法】変更
【補正の内容】
【００４４】
本発明の第１の側面においては、符号化処理する画像を対象として、符号化処理の対象となる対象ブロックの画素に対してイントラ予測を行う際の予測方向に応じて、前記対象ブロックの画素に対してイントラ予測を行う際に参照する隣接画素にフィルタ処理を行うか、前記隣接画素にフィルタ処理を行わないかが選択される。そして、前記隣接画素を用いて、前記対象ブロックの画素に対してイントラ予測が行われる。
【手続補正１４】
【補正対象書類名】明細書
【補正対象項目名】００４５
【補正方法】削除
【補正の内容】